(57)【要約】  本開示の様々な態様は、一般に、ワイヤレス通信に関する。いくつかの態様では、ユーザ機器(UE)は、第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定し得る。UEは、第2のDAIに少なくとも部分的に基づいて、第2のCCセットのための第2のHARQ-ACKペイロードを決定し得る。UEは、第1のCCセットのための第1のHARQ-ACKペイロードおよび第2のCCセットのための第2のHARQ-ACKペイロードを送信し得る。多数の他の態様が提供される。
2021503758.tif 000002
【特許請求の範囲】
【請求項１】
ユーザ機器(UE)によって実行されるワイヤレス通信の方法であって、
第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定するステップと、
第2のDAIに少なくとも部分的に基づいて、第2のCCセットのための第2のHARQ-ACKペイロードを決定するステップと、
前記第1のCCセットのための前記第1のHARQ-ACKペイロードおよび前記第2のCCセットのための前記第2のHARQ-ACKペイロードを送信するステップとを含む、
方法。
【請求項２】
前記第1のCCセットに含まれる1つまたは複数の第1のCCが、第1のコードブロックグループ(CBG)構成に関連付けられ、前記第2のCCセットに含まれる1つまたは複数の第2のCCが、前記第1のCBG構成とは異なる第2のCBG構成に関連付けられる、
請求項1に記載の方法。
【請求項３】
前記第1のCBG構成が、CBGが有効化される構成であり、前記第2のCBG構成が、CBGが無効化される構成である、
請求項2に記載の方法。
【請求項４】
少なくとも1つのCCが、前記少なくとも1つのCCのための半静的コードブロックグループ構成に少なくとも部分的に基づいて、前記第1のCCセットまたは前記第2のCCセットに割り当てられる、
請求項1に記載の方法。
【請求項５】
少なくとも1つのCCが、デフォルトまたは半静的コードブロックグループ構成をオーバーライドするフォールバックダウンリンク制御情報において示される、前記少なくとも1つのCCのための動的コードブロックグループ構成に少なくとも部分的に基づいて、前記第1のCCセットまたは前記第2のCCセットに割り当てられる、
請求項1に記載の方法。
【請求項６】
特定の送信時間間隔の間に、1つまたは複数の第1のCCが前記第1のCCセットに割り当てられ、1つまたは複数の第2のCCが前記第2のCCセットに割り当てられる、
請求項1に記載の方法。
【請求項７】
コードブロックグループが前記UEの少なくとも1つのCCに対して有効化されるとの決定に少なくとも部分的に基づいて、1つまたは複数の第1のCCが前記第1のCCセットに割り当てられ、1つまたは複数の第2のCCが前記第2のCCセットに割り当てられる、
請求項1に記載の方法。
【請求項８】
前記第1のDAIが第1の累積DAIであり、前記第2のDAIが第2の累積DAIである、
請求項1に記載の方法。
【請求項９】
前記第1のDAIが第1の総DAIであり、前記第2のDAIが第2の総DAIである、
請求項1に記載の方法。
【請求項１０】
前記第1のCCセットのための前記第1のHARQ-ACKペイロードが、第1のHARQ-ACKペイロードグループにおいて連結され、前記第2のCCセットのための前記第2のHARQ-ACKペイロードが、第2のHARQ-ACKペイロードグループにおいて連結される、
請求項1に記載の方法。
【請求項１１】
前記第1のHARQ-ACKペイロードグループおよび前記第2のHARQ-ACKペイロードグループが、送信のために互いと連結される、
請求項10に記載の方法。
【請求項１２】
前記第1のHARQ-ACKペイロードグループまたは前記第2のHARQ-ACKペイロードグループのうちの少なくとも1つが、互いとの連結の前にDAIパディングでパディングされる、
請求項11に記載の方法。
【請求項１３】
ワイヤレス通信のためのユーザ機器(UE)であって、
メモリと、
前記メモリに動作可能に結合された1つまたは複数のプロセッサとを備え、前記メモリおよび前記1つまたは複数のプロセッサが、
第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定し、
第2のDAIに少なくとも部分的に基づいて、第2のCCセットのための第2のHARQ-ACKペイロードを決定し、
前記第1のCCセットのための前記第1のHARQ-ACKペイロードおよび前記第2のCCセットのための前記第2のHARQ-ACKペイロードを送信するように構成される、
ユーザ機器(UE)。
【請求項１４】
前記第1のCCセットに含まれる1つまたは複数の第1のCCが、第1のコードブロックグループ(CBG)構成に関連付けられ、前記第2のCCセットに含まれる1つまたは複数の第2のCCが、前記第1のCBG構成とは異なる第2のCBG構成に関連付けられる、
請求項13に記載のUE。
【請求項１５】
前記第1のCBG構成が、CBGが有効化される構成であり、前記第2のCBG構成が、CBGが無効化される構成である、
請求項14に記載のUE。
【請求項１６】
少なくとも1つのCCが、
前記少なくとも1つのCCのための半静的コードブロックグループ構成、
前記半静的コードブロックグループ構成をオーバーライドするフォールバックダウンリンク制御情報において示される、前記少なくとも1つのCCのための動的コードブロックグループ構成、または
それらの組合せ
のうちの少なくとも1つに少なくとも部分的に基づいて、前記第1のCCセットまたは前記第2のCCセットに割り当てられる、
請求項13に記載のUE。
【請求項１７】
特定の送信時間間隔の間に、1つまたは複数の第1のCCが前記第1のCCセットに割り当てられ、1つまたは複数の第2のCCが前記第2のCCセットに割り当てられる、
請求項13に記載のUE。
【請求項１８】
コードブロックグループが前記UEの少なくとも1つのCCに対して有効化されるとの決定に少なくとも部分的に基づいて、1つまたは複数の第1のCCが前記第1のCCセットに割り当てられ、1つまたは複数の第2のCCが前記第2のCCセットに割り当てられる、
請求項13に記載のUE。
【請求項１９】
前記第1のDAIが、第1の累積DAIまたは第1の総DAIのうちの少なくとも1つを含み、前記第2のDAIが、第2の累積DAIまたは第2の総DAIのうちの少なくとも1つを含む、
請求項13に記載のUE。
【請求項２０】
前記第1のCCセットのための前記第1のHARQ-ACKペイロードが、第1のHARQ-ACKペイロードグループにおいて連結され、前記第2のCCセットのための前記第2のHARQ-ACKペイロードが、第2のHARQ-ACKペイロードグループにおいて連結される、
請求項13に記載のUE。
【請求項２１】
前記第1のHARQ-ACKペイロードグループおよび前記第2のHARQ-ACKペイロードグループが、送信のために互いと連結される、
請求項20に記載のUE。
【請求項２２】
前記第1のHARQ-ACKペイロードグループまたは前記第2のHARQ-ACKペイロードグループのうちの少なくとも1つが、互いとの連結の前にDAIパディングでパディングされる、
請求項21に記載のUE。
【請求項２３】
ワイヤレス通信のための命令を記憶する非一時的コンピュータ可読媒体であって、前記命令が、
ユーザ機器(UE)の1つまたは複数のプロセッサによって実行されると、前記1つまたは複数のプロセッサに、
第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定することと、
第2のDAIに少なくとも部分的に基づいて、第2のCCセットのための第2のHARQ-ACKペイロードを決定することと、
前記第1のCCセットのための前記第1のHARQ-ACKペイロードおよび前記第2のCCセットのための前記第2のHARQ-ACKペイロードを送信することとを行わせる1つまたは複数の命令を含む、
非一時的コンピュータ可読媒体。
【請求項２４】
前記第1のCCセットに含まれる1つまたは複数の第1のCCが、第1のコードブロックグループ(CBG)構成に関連付けられ、前記第2のCCセットに含まれる1つまたは複数の第2のCCが、前記第1のCBG構成とは異なる第2のCBG構成に関連付けられる、
請求項23に記載の非一時的コンピュータ可読媒体。
【請求項２５】
前記第1のCBG構成が、CBGが有効化される構成であり、前記第2のCBG構成が、CBGが無効化される構成である、
請求項24に記載の非一時的コンピュータ可読媒体。
【請求項２６】
少なくとも1つのCCが、
前記少なくとも1つのCCのための半静的コードブロックグループ構成、
前記半静的コードブロックグループ構成をオーバーライドするフォールバックダウンリンク制御情報において示される、前記少なくとも1つのCCのための動的コードブロックグループ構成、または
それらの組合せ
のうちの少なくとも1つに少なくとも部分的に基づいて、前記第1のCCセットまたは前記第2のCCセットに割り当てられる、
請求項23に記載の非一時的コンピュータ可読媒体。
【請求項２７】
コードブロックグループが前記UEの少なくとも1つのCCに対して有効化されるとの決定に少なくとも部分的に基づいて、1つまたは複数の第1のCCが前記第1のCCセットに割り当てられ、1つまたは複数の第2のCCが前記第2のCCセットに割り当てられる、
請求項23に記載の非一時的コンピュータ可読媒体。
【請求項２８】
前記第1のDAIが、第1の累積DAIまたは第1の総DAIのうちの少なくとも1つを含み、前記第2のDAIが、第2の累積DAIまたは第2の総DAIのうちの少なくとも1つを含む、
請求項23に記載の非一時的コンピュータ可読媒体。
【請求項２９】
前記第1のCCセットのための前記第1のHARQ-ACKペイロードが、第1のHARQ-ACKペイロードグループにおいて連結され、前記第2のCCセットのための前記第2のHARQ-ACKペイロードが、第2のHARQ-ACKペイロードグループにおいて連結される、
請求項23に記載の非一時的コンピュータ可読媒体。
【請求項３０】
前記第1のHARQ-ACKペイロードグループおよび前記第2のHARQ-ACKペイロードグループが、送信のために互いと連結される、
請求項29に記載の非一時的コンピュータ可読媒体。
【請求項３１】
前記第1のHARQ-ACKペイロードグループまたは前記第2のHARQ-ACKペイロードグループのうちの少なくとも1つが、互いとの連結の前にDAIパディングでパディングされる、
請求項30に記載の非一時的コンピュータ可読媒体。
【請求項３２】
ワイヤレス通信のための装置であって、
第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定する手段と、
第2のDAIに少なくとも部分的に基づいて、第2のCCセットのための第2のHARQ-ACKペイロードを決定する手段と、
前記第1のCCセットのための前記第1のHARQ-ACKペイロードおよび前記第2のCCセットのための前記第2のHARQ-ACKペイロードを送信する手段とを備える、
装置。
【請求項３３】
前記第1のCCセットに含まれる1つまたは複数の第1のCCが、第1のコードブロックグループ(CBG)構成に関連付けられ、前記第2のCCセットに含まれる1つまたは複数の第2のCCが、前記第1のCBG構成とは異なる第2のCBG構成に関連付けられる、
請求項32に記載の装置。
【請求項３４】
前記第1のCBG構成が、CBGが有効化される構成であり、前記第2のCBG構成が、CBGが無効化される構成である、
請求項33に記載の装置。
【請求項３５】
少なくとも1つのCCが、
前記少なくとも1つのCCのための半静的コードブロックグループ構成、
前記半静的コードブロックグループ構成をオーバーライドするフォールバックダウンリンク制御情報において示される、前記少なくとも1つのCCのための動的コードブロックグループ構成、または
それらの組合せ
のうちの少なくとも1つに少なくとも部分的に基づいて、前記第1のCCセットまたは前記第2のCCセットに割り当てられる、
請求項32に記載の装置。
【請求項３６】
特定の送信時間間隔の間に、1つまたは複数の第1のCCが前記第1のCCセットに割り当てられ、1つまたは複数の第2のCCが前記第2のCCセットに割り当てられる、
請求項32に記載の装置。
【請求項３７】
コードブロックグループが前記装置の少なくとも1つのCCに対して有効化されるとの決定に少なくとも部分的に基づいて、1つまたは複数の第1のCCが前記第1のCCセットに割り当てられ、1つまたは複数の第2のCCが前記第2のCCセットに割り当てられる、
請求項32に記載の装置。
【請求項３８】
前記第1のDAIが、第1の累積DAIまたは第1の総DAIのうちの少なくとも1つを含み、前記第2のDAIが、第2の累積DAIまたは第2の総DAIのうちの少なくとも1つを含む、
請求項32に記載の装置。
【請求項３９】
前記第1のCCセットのための前記第1のHARQ-ACKペイロードが、第1のHARQ-ACKペイロードグループにおいて連結され、前記第2のCCセットのための前記第2のHARQ-ACKペイロードが、第2のHARQ-ACKペイロードグループにおいて連結される、
請求項32に記載の装置。
【請求項４０】
前記第1のHARQ-ACKペイロードグループおよび前記第2のHARQ-ACKペイロードグループが、送信のために互いと連結される、
請求項39に記載の装置。
【発明の詳細な説明】
【技術分野】
【０００１】
米国特許法第119条に基づく関連出願の相互参照
本出願は、参照により本明細書に明確に組み込まれる、「TECHNIQUES AND APPARATUSES FOR HYBRID AUTOMATIC REPEAT REQUEST ACKNOWLEDGEMENT (HARQ-ACK) FEEDBACK FOR CARRIER AGGREGATION IN NEW RADIO」と題する2017年11月17日に出願された米国仮特許出願第62/587,981号、および「TECHNIQUES AND APPARATUSES FOR HYBRID AUTOMATIC REPEAT REQUEST ACKNOWLEDGEMENT (HARQ-ACK) FEEDBACK FOR CARRIER AGGREGATION IN NEW RADIO」と題する2018年9月4日に出願された米国非仮特許出願第16/120,909号の優先権を主張する。
【０００２】
本開示の態様は、一般に、ワイヤレス通信に関し、より詳細には、ニューラジオにおけるキャリアアグリゲーションのためのハイブリッド自動再送要求肯定応答(HARQ-ACK)フィードバックのための技法および装置に関する。
【背景技術】
【０００３】
ワイヤレス通信システムは、テレフォニー、ビデオ、データ、メッセージング、およびブロードキャストなどの様々な電気通信サービスを提供するために広く展開されている。典型的なワイヤレス通信システムは、利用可能なシステムリソース(たとえば、帯域幅、送信電力など)を共有することによって複数のユーザとの通信をサポートすることが可能な多元接続技術を用い得る。そのような多元接続技術の例は、符号分割多元接続(CDMA(登録商標))システム、時分割多元接続(TDMA)システム、周波数分割多元接続(FDMA)システム、直交周波数分割多元接続(OFDMA)システム、シングルキャリア周波数分割多元接続(SC-FDMA)システム、時分割同期符号分割多元接続(TD-SCDMA)システム、およびロングタームエボリューション(LTE)を含む。LTE/LTEアドバンストは、第3世代パートナーシッププロジェクト(3GPP)によって公表されたユニバーサルモバイルテレコミュニケーションズシステム(UMTS)モバイル規格に対する拡張のセットである。
【０００４】
ワイヤレス通信ネットワークは、いくつかのユーザ機器(UE)のための通信をサポートすることができるいくつかの基地局(BS)を含み得る。ユーザ機器(UE)は、ダウンリンクおよびアップリンクを介して基地局(BS)と通信し得る。ダウンリンク(または順方向リンク)は、BSからUEへの通信リンクを指し、アップリンク(または逆方向リンク)は、UEからBSへの通信リンクを指す。本明細書でより詳細に説明するように、BSは、ノードB、gNB、アクセスポイント(AP)、無線ヘッド、送信受信ポイント(TRP)、ニューラジオ(NR)BS、5GノードBなどと呼ばれることがある。
【０００５】
上記の多元接続技術は、異なるユーザ機器が都市、国家、地域、さらには地球規模で通信することを可能にする共通プロトコルを提供するために、様々な電気通信規格において採用されている。5Gと呼ばれることもあるニューラジオ(NR)は、第3世代パートナーシッププロジェクト(3GPP)によって公表されたLTEモバイル規格に対する拡張のセットである。NRは、スペクトル効率を改善することと、コストを下げることと、サービスを改善することと、新しいスペクトルを利用することと、ダウンリンク(DL)上でサイクリックプレフィックス(CP)を有する直交周波数分割多重化(OFDM)(CP-OFDM)を使用し、アップリンク(UL)上でCP-OFDMおよび/またはSC-FDM(たとえば、離散フーリエ変換拡散OFDM(DFT-s-OFDM)としても知られている)を使用し、ならびにビームフォーミング、多入力多出力(MIMO)アンテナ技術、およびキャリアアグリゲーションをサポートする、他のオープン規格とより良く統合することとによって、モバイルブロードバンドインターネットアクセスをより良くサポートするように設計されている。しかしながら、モバイルブロードバンドアクセスに対する需要が増大し続けるにつれて、LTE技術およびNR技術におけるさらなる改善が必要である。好ましくは、これらの改善は、これらの技術を用いる他の多元接続技術および電気通信規格に適用可能であるべきである。
【発明の概要】
【課題を解決するための手段】
【０００６】
いくつかの態様では、ワイヤレス通信の方法は、ユーザ機器(UE)によって実行され得る。方法は、第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定するステップと、第2のDAIに少なくとも部分的に基づいて、第2のCCセットのための第2のHARQ-ACKペイロードを決定するステップと、第1のCCセットのための第1のHARQ-ACKペイロードおよび第2のCCセットのための第2のHARQ-ACKペイロードを送信するステップとを含み得る。
【０００７】
いくつかの態様では、ワイヤレス通信の方法は、ユーザ機器(UE)によって実行され得る。方法は、第1のコンポーネントキャリア(CC)に関連付けられた第1のハイブリッド自動再送要求肯定応答(HARQ-ACK)ペイロードの第1のサイズを示す第1のサイズインジケータを決定するステップであって、第1のサイズが、第1のCCのための第1のコードブロックグループ(CBG)構成に少なくとも部分的に基づいて決定される、ステップと、第2のCCに関連付けられた第2のHARQ-ACKペイロードの第2のサイズを示す第2のサイズインジケータを決定するステップであって、第2のサイズが、第2のCCのための第2のCBG構成に少なくとも部分的に基づいて決定される、ステップと、サイズインジケータグループにおいて第1のサイズインジケータおよび第2のサイズインジケータを送信するステップと、HARQ-ACKペイロードグループにおいて第1のHARQ-ACKペイロードおよび第2のHARQ-ACKペイロードを送信するステップとを含み得る。
【０００８】
いくつかの態様では、ワイヤレス通信のためのユーザ機器は、メモリと、メモリに動作可能に結合された1つまたは複数のプロセッサとを含み得る。メモリおよび1つまたは複数のプロセッサは、第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定し、第2のDAIに少なくとも部分的に基づいて、第2のCCセットのための第2のHARQ-ACKペイロードを決定し、第1のCCセットのための第1のHARQ-ACKペイロードおよび第2のCCセットのための第2のHARQ-ACKペイロードを送信するように構成され得る。
【０００９】
いくつかの態様では、ワイヤレス通信のためのユーザ機器は、メモリと、メモリに動作可能に結合された1つまたは複数のプロセッサとを含み得る。メモリおよび1つまたは複数のプロセッサは、第1のコンポーネントキャリア(CC)に関連付けられた第1のハイブリッド自動再送要求肯定応答(HARQ-ACK)ペイロードの第1のサイズを示す第1のサイズインジケータを決定することであって、第1のサイズが、第1のCCのための第1のコードブロックグループ(CBG)構成に少なくとも部分的に基づいて決定される、ことと、第2のCCに関連付けられた第2のHARQ-ACKペイロードの第2のサイズを示す第2のサイズインジケータを決定することであって、第2のサイズが、第2のCCのための第2のCBG構成に少なくとも部分的に基づいて決定される、ことと、サイズインジケータグループにおいて第1のサイズインジケータおよび第2のサイズインジケータを送信することと、HARQ-ACKペイロードグループにおいて第1のHARQ-ACKペイロードおよび第2のHARQ-ACKペイロードを送信することとを行うように構成され得る。
【００１０】
いくつかの態様では、非一時的コンピュータ可読媒体は、ワイヤレス通信のための1つまたは複数の命令を記憶し得る。1つまたは複数の命令は、ユーザ機器の1つまたは複数のプロセッサによって実行されると、1つまたは複数のプロセッサに、第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定することと、第2のDAIに少なくとも部分的に基づいて、第2のCCセットのための第2のHARQ-ACKペイロードを決定することと、第1のCCセットのための第1のHARQ-ACKペイロードおよび第2のCCセットのための第2のHARQ-ACKペイロードを送信することとを行わせ得る。
【００１１】
いくつかの態様では、非一時的コンピュータ可読媒体は、ワイヤレス通信のための1つまたは複数の命令を記憶し得る。1つまたは複数の命令は、ユーザ機器の1つまたは複数のプロセッサによって実行されると、1つまたは複数のプロセッサに、第1のコンポーネントキャリア(CC)に関連付けられた第1のハイブリッド自動再送要求肯定応答(HARQ-ACK)ペイロードの第1のサイズを示す第1のサイズインジケータを決定することであって、第1のサイズが、第1のCCのための第1のコードブロックグループ(CBG)構成に少なくとも部分的に基づいて決定される、ことと、第2のCCに関連付けられた第2のHARQ-ACKペイロードの第2のサイズを示す第2のサイズインジケータを決定することであって、第2のサイズが、第2のCCのための第2のCBG構成に少なくとも部分的に基づいて決定される、ことと、サイズインジケータグループにおいて第1のサイズインジケータおよび第2のサイズインジケータを送信することと、HARQ-ACKペイロードグループにおいて第1のHARQ-ACKペイロードおよび第2のHARQ-ACKペイロードを送信することとを行わせ得る。
【００１２】
いくつかの態様では、ワイヤレス通信のための装置は、第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定する手段と、第2のDAIに少なくとも部分的に基づいて、第2のCCセットのための第2のHARQ-ACKペイロードを決定する手段と、第1のCCセットのための第1のHARQ-ACKペイロードおよび第2のCCセットのための第2のHARQ-ACKペイロードを送信する手段とを含み得る。
【００１３】
いくつかの態様では、ワイヤレス通信のための装置は、第1のコンポーネントキャリア(CC)に関連付けられた第1のハイブリッド自動再送要求肯定応答(HARQ-ACK)ペイロードの第1のサイズを示す第1のサイズインジケータを決定する手段であって、第1のサイズが、第1のCCのための第1のコードブロックグループ(CBG)構成に少なくとも部分的に基づいて決定される、手段と、第2のCCに関連付けられた第2のHARQ-ACKペイロードの第2のサイズを示す第2のサイズインジケータを決定する手段であって、第2のサイズが、第2のCCのための第2のCBG構成に少なくとも部分的に基づいて決定される、手段と、サイズインジケータグループにおいて第1のサイズインジケータおよび第2のサイズインジケータを送信する手段と、HARQ-ACKペイロードグループにおいて第1のHARQ-ACKペイロードおよび第2のHARQ-ACKペイロードを送信する手段とを含み得る。
【００１４】
態様は、一般に、添付の図面を参照しながら本明細書で十分に説明し、添付の図面および本明細書によって示すような、方法、装置、システム、コンピュータプログラム製品、非一時的コンピュータ可読媒体、ユーザ機器、基地局、ワイヤレス通信デバイス、および処理システムを含む。
【００１５】
上記は、以下の詳細な説明がより良く理解され得るように、本開示による例の特徴および技術的利点をかなり広範に概説している。追加の特徴および利点について、以下で説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特性、それらの編成と動作方法の両方が、関連する利点とともに、添付の図に関して検討されると以下の説明からより良く理解されよう。図の各々は、例示および説明のために提供され、特許請求の範囲の限定の定義として提供されるものではない。
【００１６】
本開示の上述の特徴が詳細に理解され得るように、添付の図面にその一部が示される態様を参照することによって、上記で簡潔に要約した内容について、より具体的な説明を行う場合がある。しかしながら、この説明は他の等しく効果的な態様に通じ得るので、添付の図面は、本開示のいくつかの典型的な態様のみを示し、したがって、本開示の範囲を限定するものと見なされるべきではないことに留意されたい。異なる図面における同じ参照番号は、同じまたは同様の要素を識別することがある。
【図面の簡単な説明】
【００１７】
【図１】本開示の様々な態様による、ワイヤレス通信ネットワークの一例を概念的に示すブロック図である。
【図２】本開示の様々な態様による、ワイヤレス通信ネットワークにおいてユーザ機器(UE)と通信している基地局の一例を概念的に示すブロック図である。
【図３】本開示の様々な態様による、HARQ-ACKフィードバックのためにダウンリンク割当てインデックスを使用する一例を示す図である。
【図４】本開示の様々な態様による、HARQ-ACKフィードバックのためにダウンリンク割当てインデックスを使用する一例を示す図である。
【図５】本開示の様々な態様による、ニューラジオにおけるキャリアアグリゲーションのためのHARQ-ACKフィードバックの一例を示す図である。
【図６】本開示の様々な態様による、ニューラジオにおけるキャリアアグリゲーションのためのHARQ-ACKフィードバックの別の例を示す図である。
【図７】本開示の様々な態様による、たとえばユーザ機器によって実行される例示的なプロセスを示す図である。
【図８】本開示の様々な態様による、たとえばユーザ機器によって実行される別の例示的なプロセスを示す図である。
【発明を実施するための形態】
【００１８】
本開示の様々な態様について、添付の図面を参照しながら以下でより十分に説明する。しかしながら、本開示は、多くの異なる形態で具現化されてもよく、本開示全体にわたって提示される任意の特定の構造または機能に限定されるものと解釈されるべきではない。むしろ、これらの態様は、本開示が周到で完全になり、本開示の範囲を当業者に十分に伝えるように提供される。本明細書の教示に基づいて、本開示の範囲は、本開示の任意の他の態様とは無関係に実装されるにせよ、本開示の任意の他の態様と組み合わせて実装されるにせよ、本明細書で開示する本開示の任意の態様を包含するものであることを、当業者は諒解されたい。たとえば、本明細書に記載する任意の数の態様を使用して、装置が実装されてもよく、または方法が実践されてもよい。加えて、本開示の範囲は、本明細書に記載する本開示の様々な態様に加えて、またはそれらの態様以外に、他の構造、機能、または構造および機能を使用して実践されるそのような装置または方法を包含するものとする。本明細書で開示する本開示の任意の態様は、請求項の1つまたは複数の要素によって具現化され得ることを理解されたい。
【００１９】
次に、様々な装置および技法を参照しながら、電気通信システムのいくつかの態様が提示される。これらの装置および技法について、以下の詳細な説明において説明し、様々なブロック、モジュール、構成要素、回路、ステップ、プロセス、アルゴリズムなど(「要素」と総称される)によって添付の図面に示す。これらの要素は、ハードウェア、ソフトウェア、またはそれらの組合せを使用して実装され得る。そのような要素がハードウェアとして実装されるか、またはソフトウェアとして実装されるかは、特定の適用例および全体的なシステムに課される設計制約に依存する。
【００２０】
態様について、3Gおよび/または4Gワイヤレス技術に一般的に関連付けられた用語を使用して本明細書で説明する場合があるが、本開示の態様は、NR技術を含む、5G以降などの他の世代ベースの通信システムにおいて適用され得ることに留意されたい。
【００２１】
図1は、本開示の態様が実践され得るネットワーク100を示す図である。ネットワーク100は、LTEネットワーク、または5GもしくはNRネットワークなどの何らかの他のワイヤレスネットワークであってもよい。ワイヤレスネットワーク100は、いくつかのBS110(BS110a、BS110b、BS110c、およびBS110dとして示される)と、他のネットワークエンティティとを含み得る。BSは、ユーザ機器(UE)と通信するエンティティであり、基地局、NR BS、ノードB、gNB、5GノードB(NB)、アクセスポイント、送信受信ポイント(TRP)などと呼ばれることもある。各BSは、特定の地理的エリアに通信カバレージを提供し得る。3GPPでは、「セル」という用語は、この用語が使用される文脈に応じて、BSのカバレージエリアおよび/またはこのカバレージエリアにサービスするBSサブシステムを指す場合がある。
【００２２】
BSは、マクロセル、ピコセル、フェムトセル、および/または別のタイプのセルに通信カバレージを提供し得る。マクロセルは、比較的大きい地理的エリア(たとえば、半径数キロメートル)をカバーすることができ、サービスに加入しているUEによる無制限アクセスを可能にし得る。ピコセルは、比較的小さい地理的エリアをカバーすることができ、サービスに加入しているUEによる無制限アクセスを可能にし得る。フェムトセルは、比較的小さい地理的エリア(たとえば、自宅)をカバーすることができ、フェムトセルとの関連付けを有するUE(たとえば、限定加入者グループ(CSG)内のUE)による制限付きアクセスを可能にし得る。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110aは、マクロセル102aのためのマクロBSであってもよく、BS110bは、ピコセル102bのためのピコBSであってもよく、BS110cは、フェムトセル102cのためのフェムトBSであってもよい。BSは、1つまたは複数(たとえば、3つ)のセルをサポートしてもよい。「eNB」、「基地局」、「NR BS」、「gNB」、「TRP」、「AP」、「ノードB」、「5G NB」、および「セル」という用語は、本明細書では互換的に使用され得る。
【００２３】
いくつかの態様では、セルは、必ずしも固定であるとは限らないことがあり、セルの地理的エリアは、モバイルBSのロケーションに従って移動することがある。いくつかの態様では、BSは、任意の適切なトランスポートネットワークを使用して、直接物理接続、仮想ネットワークなどの様々なタイプのバックホールインターフェースを通じて、アクセスネットワーク100内で互いにおよび/または1つもしくは複数の他のBSもしくはネットワークノード(図示せず)に相互接続されてもよい。
【００２４】
ワイヤレスネットワーク100はまた、中継局を含み得る。中継局は、上流局(たとえば、BSまたはUE)からデータの送信を受信し、データの送信を下流局(たとえば、UEまたはBS)に送ることができるエンティティである。中継局はまた、他のUEのための送信を中継することができるUEであってもよい。図1に示す例では、中継局110dは、BS110aとUE120dとの間の通信を容易にするために、マクロBS110aおよびUE120dと通信し得る。中継局は、中継BS、中継基地局、リレーなどと呼ばれることもある。
【００２５】
ワイヤレスネットワーク100は、異なるタイプのBS、たとえば、マクロBS、ピコBS、フェムトBS、中継BSなどを含む異種ネットワークであってもよい。これらの異なるタイプのBSは、ワイヤレスネットワーク100において、異なる送信電力レベル、異なるカバレージエリア、および干渉に対する異なる影響を有してもよい。たとえば、マクロBSは、高い送信電力レベル(たとえば、5〜40ワット)を有し得るが、ピコBS、フェムトBS、および中継BSは、より低い送信電力レベル(たとえば、0.1〜2ワット)を有し得る。
【００２６】
ネットワークコントローラ130は、BSのセットに結合してもよく、これらのBSのための協調および制御を行ってもよい。ネットワークコントローラ130は、バックホールを介してBSと通信してもよい。BSはまた、たとえば、ワイヤレスまたはワイヤラインバックホールを介して直接または間接的に、互いと通信してもよい。
【００２７】
UE120(たとえば、120a、120b、120c)は、ワイヤレスネットワーク100全体にわたって分散されてもよく、各UEは、固定またはモバイルであってもよい。UEは、アクセス端末、端末、移動局、加入者ユニット、局などと呼ばれることもある。UEは、セルラーフォン(たとえば、スマートフォン)、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサー/デバイス、ウェアラブルデバイス(スマートウォッチ、スマートクロージング、スマートグラス、スマートリストバンド、スマートジュエリー(たとえば、スマートリング、スマートブレスレット))、エンターテインメントデバイス(たとえば、音楽もしくはビデオデバイス、または衛星ラジオ)、車両構成要素またはセンサー、スマートメーター/センサー、産業用製造機器、全地球測位システムデバイス、またはワイヤレスもしくはワイヤード媒体を介して通信するように構成された任意の他の適切なデバイスであってもよい。
【００２８】
いくつかのUEは、マシンタイプ通信(MTC)UEまたは発展型もしくは拡張マシンタイプ通信(eMTC)UEと見なされてもよい。MTC UEおよびeMTC UEは、たとえば、基地局、別のデバイス(たとえば、リモートデバイス)、または何らかの他のエンティティと通信し得る、ロボット、ドローン、センサー、メーター、モニタ、ロケーションタグなどのリモートデバイスなどを含む。ワイヤレスノードは、たとえば、ワイヤードまたはワイヤレス通信リンクを介して、ネットワーク(たとえば、インターネットまたはセルラーネットワークなどのワイドエリアネットワーク)のための、またはネットワークへの接続性を提供し得る。いくつかのUEは、モノのインターネット(IoT)デバイスと見なされてもよく、かつ/またはNB-IoT(狭帯域モノのインターネット)デバイスとして実装されてもよい。いくつかのUEは、顧客構内機器(CPE)と見なされてもよい。UE120は、プロセッサ構成要素、メモリ構成要素などの、UE120の構成要素を収容するハウジングの内部に含められてもよい。
【００２９】
一般に、任意の数のワイヤレスネットワークが、所与の地理的エリアにおいて展開されてもよい。各ワイヤレスネットワークは、特定のRATをサポートしてもよく、1つまたは複数の周波数上で動作してもよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてもよい。場合によっては、NRまたは5G RATネットワークが展開されてもよい。
【００３０】
いくつかの態様では、2つ以上のUE120(たとえば、UE120aおよびUE120eとして示される)は、1つまたは複数のサイドリンクチャネルを使用して(たとえば、互いと通信するための媒介として基地局110を使用せずに)直接通信してもよい。たとえば、UE120は、ピアツーピア(P2P)通信、デバイス間(D2D)通信、ビークルツーエブリシング(V2X:vehicle-to-everything)プロトコル(たとえば、車車間(V2V:vehicle-to-vehicle)プロトコル、路車間(V2I:vehicle-to-infrastructure)プロトコルなどを含み得る)、メッシュネットワークなどを使用して通信してもよい。この場合、UE120は、スケジューリング動作、リソース選択動作、および/または基地局110によって実行されるものとして本明細書の他の場所で説明する他の動作を実行してもよい。
【００３１】
上記で示したように、図1は単に一例として与えられる。他の例が可能であり、図1に関して説明したことと異なってもよい。
【００３２】
図2は、図1の基地局のうちの1つおよびUEのうちの1つであり得る、基地局110およびUE120の設計のブロック図を示す。基地局110はT個のアンテナ234a〜234tを備えてもよく、UE120はR個のアンテナ252a〜252rを備えてもよく、ただし、一般にT≧1およびR≧1である。
【００３３】
基地局110において、送信プロセッサ220は、1つまたは複数のUEのためのデータをデータソース212から受信し、UEから受信されたチャネル品質インジケータ(CQI)に少なくとも部分的に基づいてUEごとに1つまたは複数の変調およびコーディング方式(MCS)を選択し、UEのために選択されたMCSに少なくとも部分的に基づいてUEごとにデータを処理(たとえば、符号化および変調)し、データシンボルをすべてのUEに提供してもよい。送信プロセッサ220は、(たとえば、半静的リソース区分情報(SRPI)などについての)システム情報および制御情報(たとえば、CQI要求、グラント、上位レイヤシグナリングなど)を処理し、オーバーヘッドシンボルおよび制御シンボルを与えてもよい。送信プロセッサ220はまた、基準信号(たとえば、セル固有基準信号(CRS))および同期信号(たとえば、1次同期信号(PSS)および2次同期信号(SSS))のための基準シンボルを生成してもよい。送信(TX)多入力多出力(MIMO)プロセッサ230は、該当する場合、データシンボル、制御シンボル、オーバーヘッドシンボル、および/または基準シンボルに対して空間処理(たとえば、プリコーディング)を実行してもよく、T個の出力シンボルストリームをT個の変調器(MOD)232a〜232tに与えてもよい。各変調器232は、(たとえば、OFDM用などに)それぞれの出力シンボルストリームを処理して、出力サンプルストリームを取得してもよい。各変調器232は、出力サンプルストリームをさらに処理(たとえば、アナログに変換、増幅、フィルタリング、およびアップコンバート)して、ダウンリンク信号を取得してもよい。変調器232a〜232tからのT個のダウンリンク信号は、それぞれ、T個のアンテナ234a〜234tを介して送信されてもよい。以下でより詳細に説明する様々な態様によれば、同期信号は、追加の情報を伝達するためにロケーション符号化を用いて生成され得る。
【００３４】
UE120において、アンテナ252a〜252rは、基地局110および/または他の基地局からダウンリンク信号を受信してもよく、それぞれ、受信信号を復調器(DEMOD)254a〜254rに与えてもよい。各復調器254は、受信信号を調整(たとえば、フィルタリング、増幅、ダウンコンバート、およびデジタル化)して、入力サンプルを取得してもよい。各復調器254は、(たとえば、OFDM用などに)入力サンプルをさらに処理して、受信シンボルを取得してもよい。MIMO検出器256は、すべてのR個の復調器254a〜254rから受信シンボルを取得し、該当する場合、受信シンボルに対してMIMO検出を実行し、検出されたシンボルを与えてもよい。受信プロセッサ258は、検出されたシンボルを処理(たとえば、復調および復号)し、UE120のための復号されたデータをデータシンク260に与え、復号された制御情報およびシステム情報をコントローラ/プロセッサ280に与えてもよい。チャネルプロセッサは、基準信号受信電力(RSRP)、受信信号強度インジケータ(RSSI)、基準信号受信品質(RSRQ)、チャネル品質インジケータ(CQI)などを決定してもよい。
【００３５】
アップリンク上では、UE120において、送信プロセッサ264は、データソース262からのデータ、およびコントローラ/プロセッサ280からの(たとえば、RSRP、RSSI、RSRQ、CQIなどを含む報告のための)制御情報を受信および処理してもよい。送信プロセッサ264はまた、1つまたは複数の基準信号のための基準シンボルを生成してもよい。送信プロセッサ264からのシンボルは、該当する場合、TX MIMOプロセッサ266によってプリコードされ、(たとえば、DFT-s-OFDM、CP-OFDM用などに)変調器254a〜254rによってさらに処理され、基地局110に送信されてもよい。基地局110において、UE120および他のUEからのアップリンク信号は、アンテナ234によって受信され、復調器232によって処理され、該当する場合、MIMO検出器236によって検出され、受信プロセッサ238によってさらに処理されて、UE120によって送られた復号されたデータおよび制御情報を取得してもよい。受信プロセッサ238は、復号されたデータをデータシンク239に与え、復号された制御情報をコントローラ/プロセッサ240に与えてもよい。基地局110は、通信ユニット244を含み、通信ユニット244を介してネットワークコントローラ130と通信し得る。ネットワークコントローラ130は、通信ユニット294、コントローラ/プロセッサ290、およびメモリ292を含み得る。
【００３６】
いくつかの態様では、UE120の1つまたは複数の構成要素は、ハウジングに含まれてもよい。基地局110のコントローラ/プロセッサ240、UE120のコントローラ/プロセッサ280、および/または図2の任意の他の構成要素は、本明細書の他の場所でより詳細に説明するように、ニューラジオにおけるキャリアアグリゲーションのためのHARQ-ACKフィードバックに関連付けられた1つまたは複数の技法を実行してもよい。たとえば、基地局110のコントローラ/プロセッサ240、UE120のコントローラ/プロセッサ280、および/または図2の任意の他の構成要素は、たとえば、図7のプロセス700、図8のプロセス800、および/または本明細書で説明するような他のプロセスの動作を実行または指示してもよい。メモリ242および282は、それぞれ、基地局110およびUE120のためのデータおよびプログラムコードを記憶してもよい。スケジューラ246は、ダウンリンクおよび/またはアップリンク上のデータ送信に対してUEをスケジュールしてもよい。
【００３７】
いくつかの態様では、UE120は、第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定する手段、第2のDAIに少なくとも部分的に基づいて、第2のCCセットのための第2のHARQ-ACKペイロードを決定する手段、第1のCCセットのための第1のHARQ-ACKペイロードおよび第2のCCセットのための第2のHARQ-ACKペイロードを送信する手段などを含み得る。追加または代替として、UE120は、第1のコンポーネントキャリア(CC)に関連付けられた第1のハイブリッド自動再送要求肯定応答(HARQ-ACK)ペイロードの第1のサイズを示す第1のサイズインジケータを決定する手段であって、第1のサイズが、第1のCCのための第1のコードブロックグループ(CBG)構成に少なくとも部分的に基づいて決定される、手段、第2のCCに関連付けられた第2のHARQ-ACKペイロードの第2のサイズを示す第2のサイズインジケータを決定する手段であって、第2のサイズが、第2のCCのための第2のCBG構成に少なくとも部分的に基づいて決定される、手段、サイズインジケータグループにおいて第1のサイズインジケータおよび第2のサイズインジケータを送信する手段、HARQ-ACKペイロードグループにおいて第1のHARQ-ACKペイロードおよび第2のHARQ-ACKペイロードを送信する手段などを含み得る。いくつかの態様では、そのような手段は、図2に関して説明するUE120の1つまたは複数の構成要素を含み得る。
【００３８】
上記で示したように、図2は単に一例として与えられる。他の例が可能であり、図2に関して説明したことと異なってもよい。
【００３９】
ニューラジオでは、トランスポートブロック(TB)は、複数のコードブロックグループ(CBG)に分割されてもよく、ここで、各CBGは、受信機が個々の肯定応答(ACK)または否定応答(NACK)を送るトランスポートブロックの一部分を表す。たとえば、TBが8個のCBGを含む場合、TBのためのHARQ-ACKペイロード(たとえば、HARQ-ACKフィードバックとも呼ばれる)は、TB内のCBGごとに1ビットの、8ビットを含んでもよい。単一のCBG内で搬送されるビットは、グループとして肯定応答または否定応答され、異なるCBG内のビットは、別々に肯定応答または否定応答される。このようにして、大きいサイズのTBが少数のビットにおいて失敗を経験した場合、TB全体を再送信する代わりに、それらのビットを含む個々のCBGを再送信することができ、それによって、ネットワークリソースを節約する。
【００４０】
場合によっては、キャリアアグリゲーションに使用される異なるコンポーネントキャリア(CC)は、異なるCBG構成を有してもよい。たとえば、第1のCCは、有効化されたCBGを有してもよく(たとえば、CBGごとのHARQ-ACKペイロードを使用してもよく)、第2のCCは、無効化されたCBGを有してもよい(たとえば、TBごとのHARQ-ACKペイロードを使用してもよい)。さらに、CBGが有効化されるとき、異なるCCは、TBごとに異なる数のCBGを使用してもよい。これは、HARQ-ACKペイロードの復号および/または解釈を困難にすることがあり、その理由は、よくあることだが、単一のCC(たとえば、1次CC)を介しておよび/または単一のチャネル(たとえば、物理アップリンク制御チャネル(PUCCH)および/または物理アップリンク共有チャネル(PUSCH))を使用してすべてのHARQ-ACKペイロードが送信されるときは特に、HARQ-ACKペイロードのどのビットがどのCBGおよび/またはTBに対応するかが不明瞭であることがあるからである。
【００４１】
場合によっては、キャリアアグリゲーションを使用して通信するデバイスは、HARQ-ACKペイロードのインスタンスに含まれ得るビットの最大数を決定してもよく、すべてのCCにわたるHARQ-ACKペイロードのすべてのインスタンスにおいてそのビットの最大数を含んでもよい。たとえば、第1のCCが無効化されたCBGを有し、1ビットのHARQ-ACKペイロードサイズを有し、第2のCCが有効化されたCBGを有し、8ビットのHARQ-ACKペイロードサイズを有する場合、デバイスは第1のCCと第2のCCの両方の上で8ビットのHARQ-ACKペイロードサイズを使用してもよい。しかしながら、これは、浪費されたビット(たとえば、第1のCC上のHARQ-ACKペイロードごとに浪費された7ビット)および高いオーバーヘッドをもたらすことがあり、それによって、ネットワーク通信の効率を低減する。本明細書で説明するいくつかの技法および装置は、異なるCCが異なるCBG構成を有するとき、キャリアアグリゲーションにおけるHARQ-ACKペイロードに使用されるネットワークリソースを節約する。
【００４２】
図3は、本開示の様々な態様による、HARQ-ACKフィードバックのためにダウンリンク割当てインデックスを使用する一例300を示す図である。
【００４３】
LTEでは、HARQ ACK/NACKフィードバックの多対1のマッピング問題を解決するために、ダウンリンク割当てインデックス(DAI)の概念が提案されている。具体的には、DAIは、単一のPUCCH送信の中のスケジュールされたTBの合計サイズおよびインデックスに関する基地局110とUE120との間のあいまいさを緩和するように設計されている。2つのDCIフィールド、すなわち、各々が2ビットを有する、DAIカウンタ(本明細書では累積DAIと呼ばれることもある)および総DAI値が導入される。図3に示すように、DAIカウンタは、周波数第1および時間第2の様式で累積する。UE120は、観測されたDAIシーケンス内の欠落した値を欠落した許可として扱い、PUCCHフィードバックにおいてNACKを報告する。2ビットでモジュロ4のDAIカウンタにより、この方式は任意の連続した3つの欠落した許可に対してロバストであり、2ビットの総DAIフィールドにより、最後の数個の許可が欠落することによって引き起こされるPUCCHペイロードサイズのあいまいさの問題が緩和される。
【００４４】
NRは、ロバストなHARQ-ACKフィードバック機構の設計におけるいくつかの課題を提示し、そのうちの1つは、ダウンリンク割当てごとのCBGの数が異なる場合があり、スロット/CCにわたって潜在的に異なるACK/NACKペイロードサイズをもたらすということである。
【００４５】
上記で示したように、図3は一例として与えられる。他の例が可能であり、図3に関して説明したことと異なってもよい。
【００４６】
図4は、本開示の様々な態様による、HARQ-ACKフィードバックのためにダウンリンク割当てインデックスを使用する別の例400を示す図である。
【００４７】
NRはCBGベースの再送信をサポートし、ここで、CBGの数はRRC構成され得る。LTEのDAI設計では、UE120は、欠落した許可を検出することができるにもかかわらず、UE120は、欠落した許可に対する予想されるACK/NACKペイロードサイズを推測することができない。この問題を解決するために、本明細書で説明する技法および装置は、ACK/NACKペイロードサイズごとに1つの、複数のDAIインスタンスを使用する。
【００４８】
図4は、複数のDAIインスタンスの提案を示しており、ここで、CC1およびCC4は、TBベースの再送信で構成され、CC2およびCC3は、CBGベースの再送信で構成され、TBごとのCBGの数は、4に等しい。基地局110は、コンポーネントキャリアが有効化されたCBGをデフォルトで有するにもかかわらず、TBベースの送信を示すために特定のスロットに対してフォールバックDCIを使用することがあるので、CC3の中のスロット2はTBベースとして標示されていることに留意されたい。
【００４９】
上記で示したように、図4は一例として与えられる。他の例が可能であり、図4に関して説明したことと異なってもよい。
【００５０】
図5は、本開示の様々な態様による、ニューラジオにおけるキャリアアグリゲーションのためのHARQ-ACKフィードバックの一例500を示す図である。
【００５１】
図5に示すように、UE120および基地局110は、一例として示す5つのコンポーネントキャリア(CC)(たとえば、CC0、CC1、CC2、CC3、およびCC4)を用いて、キャリアアグリゲーションを使用して通信してもよい。いくつかの態様では、異なるCCは、異なるCBG構成を有してもよい。たとえば、あるCCは、有効化されたCBGを有してもよく(たとえば、CBGごとのHARQ-ACKペイロードを使用してもよく)、別のCCは、無効化されたCBGを有してもよい(たとえば、TBごとのHARQ-ACKペイロードを使用してもよい)。一例として、参照番号505によって示すように、CBGはCC0およびCC4上で無効化されてもよく、CBGはCC1、CC2、およびCC3上で有効化されてもよい。さらに、CBGが有効化されるとき、異なるCCは、TBごとに異なる数のCBGを使用してもよい。
【００５２】
参照番号510によって示すように、UE120は、CCが異なるCBG構成を有するとき、異なるCCを異なるCCセットに割り当ててもよい。たとえば、CC0およびCC4などの、無効化されたCBGを有する1つまたは複数の第1のCCは、第1のCCセットに割り当てられてもよく、CC1、CC2、およびCC3などの、有効化されたCBGを有する1つまたは複数の第2のCCは、第2のCCセットに割り当てられてもよい。いくつかの態様では、CCはダウンリンクデータ割振り(たとえば、物理ダウンリンク共有チャネル(PDSCH)割振り)に対応してもよく、CCセットはスロットごと、CCごとのダウンリンクデータ割振りに対応してもよい。
【００５３】
いくつかの態様では、UE120は、CCのためのデフォルトまたは半静的CBG構成に少なくとも部分的に基づいて、CCのためのCBG構成を決定してもよい。いくつかの態様では、デフォルトまたは半静的CBG構成は、基地局110によって、無線リソース制御(RRC)構成メッセージ、システム情報ブロック(SIB)などにおいて、UE120にシグナリングされてもよい。
【００５４】
いくつかの態様では、UE120は、CCのための動的CBG構成に少なくとも部分的に基づいて、CCのためのCBG構成を決定してもよい。いくつかの態様では、動的CBG構成は、基地局110によって、ダウンリンク許可などのダウンリンク制御情報(DCI)において、UE120にシグナリングされてもよい。いくつかの態様では、動的CBG構成は、デフォルトまたは半静的CBG構成をオーバーライドしてもよい。たとえば、CCは、有効化されたCBGをデフォルトで有してもよいが、ダウンリンク許可は、ダウンリンク許可において示される1つまたは複数のダウンリンク割当てに対してCBGを無効化するようにUE120に命令してもよい。いくつかの態様では、CBGを無効化するようにUE120に命令するDCIは、フォールバックDCIと呼ばれることがある。
【００５５】
いくつかの態様では、CCセットへのCCの割当ては、特定の送信時間間隔(TTI)および/またはTTIの特定のセットに対して適用されてもよい。いくつかの態様では、TTIは、スロット、サブフレーム、フレームなどであってもよい。たとえば、1つまたは複数のスロットの中の1つまたは複数のダウンリンク割当てに対してCCのCBG構成がオーバーライドされることがあるので、CCのためのCBG構成は異なるスロットにわたって変化することがある。このようにして、特定のスロットに対して、CCがCCセットに割り当てられてもよい。
【００５６】
いくつかの態様では、UE120は、キャリアアグリゲーションのためにUE120によって使用されるべき少なくとも1つのCCが有効化されたCBGを有するとの決定に少なくとも部分的に基づいて、CCをCCセットに割り当ててもよい。追加または代替として、UE120は、キャリアアグリゲーションのためにUE120によって使用されるべき少なくとも2つのCCが異なるCBG構成を有するとの決定に少なくとも部分的に基づいて、CCをCCセットに割り当ててもよい。たとえば、UE120によって使用されるすべてのCCが同じCBG構成を有する(たとえば、CBGがすべてのCCに対して無効化される、すべてのCCがTBごとに8個のCBGを使用する、など)場合、CCを異なるCCセットに割り当てる必要がないことがある。
【００５７】
参照番号515によって示すように、UE120は、異なるCCセットに対応する異なるダウンリンク割当てインデックス(DAI)を使用して、異なるCCセットのための異なるHARQ-ACKペイロードを決定してもよい。たとえば、第1のDAIは、第1のCCセットに含まれる第1のCC上のUE120のためのダウンリンク割当ての数をカウントするために使用されてもよく、第2のDAIは、第2のCCセットに含まれる第2のCC上のUE120のためのダウンリンク割当ての数をカウントするために使用されてもよい。UE120は、UE120によって正常に受信された第1のCCセット上のダウンリンク割当てを識別するために、および/または、UE120によって正常に受信されなかった第1のCCセット上のダウンリンク割当てを識別するために、第1のDAIを使用して第1のCCセットのための第1のHARQ-ACKペイロードを決定してもよい。同様に、UE120は、UE120によって正常に受信された第2のCCセット上のダウンリンク割当てを識別するために、および/または、UE120によって正常に受信されなかった第2のCCセット上のダウンリンク割当て識別するために、第2のDAIを使用して第2のCCセットのための第2のHARQ-ACKペイロードを決定してもよい。
【００５８】
たとえば、UE120は、異なるCCのためのそれぞれのHARQ-ACKペイロードを生成するために、それぞれのDAIを使用してもよい。CCセットのためのHARQ-ACKペイロードの各ビットは、(たとえば、CBGがCCセットに対して有効化される場合)特定のCBGがCCセット上で正常に受信されたかどうかを示すことができるか、または(たとえば、CBGがCCセットに対して無効化される場合)特定のTBがCCセット上で正常に受信されたかどうかを示すことができる。
【００５９】
いくつかの態様では、DAI(たとえば、第1のDAIおよび第2のDAI)は、累積DAI(たとえば、第1の累積DAIおよび第2の累積DAI)を含んでもよい。累積DAIは、UE120のためにスケジュールされたダウンリンク割当てごとに基地局110によって増分される、各ダウンリンク割当て(たとえば、ダウンリンク許可)に含まれるカウンタを含んでもよい。したがって、累積DAIは、UE120によって送信されるべきHARQ-ACKペイロードの数を示すことができる。いくつかの態様では、基地局110は、DCIにおいて(たとえば、ダウンリンク許可において)、DAIの最後の2ビット(たとえば、2個の最下位ビット)をUE120に示すことができる。時分割複信(TDD)においてなど、いくつかの態様では、累積DAIは、周波数第1(たとえば、周波数リソースごと)時間第2(たとえば、時間リソースごと)の様式で増分されてもよい。周波数分割複信(FDD)においてなど、いくつかの態様では、累積DAIは、キャリアインデックスごとに増分されてもよい。この場合、基地局110およびUE120は、異なるCCセット上のUE120のためにスケジュールされたダウンリンク割当ての数を記録するために、異なるカウンタを使用してもよい。
【００６０】
いくつかの態様では、DAI(たとえば、第1のDAIおよび第2のDAI)は、総DAI(たとえば、第1の総DAIおよび第2の総DAI)を含んでもよい。総DAIは、現在のTTI(たとえば、スロット、サブフレームなど)までの、サービングセルにわたってスケジュールされたダウンリンク割当ての数を示すことができる。したがって、総DAIは、UE120によって送信されるべきHARQ-ACKペイロードの数を示すことができる。
【００６１】
参照番号520によって示すように、UE120は、異なるグループにおいて、異なるCCセットに対応する異なるHARQ-ACKペイロードを送信してもよく、基地局110は、それらを受信してもよい。たとえば、UE120は、第1のグループにおいて、第1のCCセットに対応し、第1のDAIを使用して生成された第1のHARQ-ACKペイロードを送信してもよく、第2のグループにおいて、第2のCCセットに対応し、第2のDAIを使用して生成された第2のHARQ-ACKペイロードを送信してもよい。
【００６２】
一例として、示すように、ビットの第1のグループは、CC0のためのペイロードおよびCC4のためのペイロードを含んでもよく、これらのペイロードは両方とも、無効化されたCBGを有する第1のCCセットに含まれる。この場合、CBGが無効化されるので、各HARQ-ACKペイロードのサイズは1ビット(たとえば、各TBに対して1ビット)である。さらに示すように、ビットの第2のグループは、CC1のためのペイロード、CC2のためのペイロード、およびCC3のためのペイロードを含んでもよく、これらのペイロードはすべて、有効化されたCBGを有する第2のCCセットに含まれる。この場合、CBGはTBごとに8個のCBGの構成で有効化されるので、各HARQ-ACKペイロードのサイズは8ビット(たとえば、TBの中の8個のCBGの各々に対して1ビット)である。
【００６３】
いくつかの態様では、UE120は、(たとえば、別個のHARQ-ACKペイロードグループを形成するために)異なるCCセットに対応するHARQ-ACKペイロードを別々に連結してもよく、次いで、基地局110への送信のために、すべてのHARQ-ACKペイロードを一緒に連結してもよい。いくつかの態様では、UE120は、他のHARQ-ACKペイロードグループとの連結の前に、DAIパディングをHARQ-ACKペイロードグループに適用してもよい。たとえば、UE120は、特定のサイズ(たとえば、M=4などのM個の許可の倍数に対応するサイズ)のHARQ-ACKペイロードグループを形成するために、DAIパディングを適用してもよい。
【００６４】
たとえば、UE120は、第1のHARQ-ACKペイロードグループを形成するために(たとえば、第1のCCセットの中の複数のCCに対して)第1のCCセットのための第1のHARQ-ACKペイロードを連結してもよく、それとは別に、第2のHARQ-ACKペイロードグループを形成するために(たとえば、第2のCCセットの中の複数のCCに対して)第2のCCセットのための第2のHARQ-ACKペイロードを連結してもよい。次いで、UE120は、第1のHARQ-ACKペイロードグループのビットを第2のHARQ-ACKペイロードグループのビットと互いに連結してもよい。いくつかの態様では、第1のHARQ-ACKペイロードグループのビットを第2のHARQ-ACKペイロードグループのビットと連結する前に、UE120は、(たとえば、1つまたは複数のDAIパディング規則に従って)DAIパディングを第1のHARQ-ACKペイロードグループのビットおよび/または第2のHARQ-ACKペイロードグループのビットに適用してもよい。
【００６５】
いくつかの態様では、基地局110は、第1のグループに含まれるHARQ-ACKペイロードの数を決定するために第1のDAIを使用してもよく、第2のグループに含まれるHARQ-ACKペイロードの数を決定するために第2のDAIを使用してもよく、それによって、HARQ-ACKペイロードのビットと対応するCBGおよび/またはTBとの間の明確な対応を作り出し、復号エラーを低減する一方で、異なるCCが異なるCBG構成を有するときに、(たとえば、すべてのCCにわたって最大HARQ-ACKペイロードサイズを使用することと比較して)キャリアアグリゲーションにおけるHARQ-ACKペイロードに使用されるネットワークリソースを節約する。
【００６６】
HARQ-ACKペイロードの2つのグループが一例として示されているが、いくつかの態様では、3つ以上のグループが使用されてもよい。たとえば、TBごとに異なる数のCBGが、異なるCCにわたって使用されてもよい。たとえば、CCのセットは、TBごとに2個のCBG、TBごとに8個のCBG、TBごとに16個のCBGなどを使用してもよい。この場合、TBごとに異なる数のCBGを有するCCが、異なるDAIを使用する異なるCCセットに割り当てられてもよい。(たとえば、2ビット、8ビット、16ビットなどの異なるサイズの)異なるHARQ-ACKペイロードが、異なるDAIを使用して生成されてもよく、基地局110への送信のためにUE120によって別々にグループ化されてもよい。
【００６７】
さらに、いくつかの態様について、CCが異なるCBG構成を有することに少なくとも部分的に基づいてCCを異なるCCセットに割り当てることに関して本明細書で説明するが、いくつかの態様では、CCは異なる理由で異なるCCセットに割り当てられてもよい。たとえば、第1のCCセットは、第1の基地局110によってサービスされる1つまたは複数のCCを含んでもよく、第2のCCセットは、第2の基地局110によってサービスされる1つまたは複数のCCを含んでもよい。この場合、単一の基地局110はすべてのCCを使用して通信することが可能ではないことがあるので、異なるCCセットに対して別個のDAIが維持されてもよい。
【００６８】
上記で示したように、図5は一例として与えられる。他の例が可能であり、図5に関して説明したことと異なってもよい。
【００６９】
図6は、本開示の様々な態様による、ニューラジオにおけるキャリアアグリゲーションのためのHARQ-ACKフィードバックの別の例600を示す図である。
【００７０】
図6に示すように、UE120および基地局110は、一例として示す3つのコンポーネントキャリア(CC)(たとえば、CC0、CC1、およびCC2)を用いて、キャリアアグリゲーションを使用して通信してもよい。図5に関して上記で説明したように、異なるCCは、異なるCBG構成を有してもよい。たとえば、あるCCは、有効化されたCBGを有してもよく(たとえば、CBGごとのHARQ-ACKペイロードを使用してもよく)、別のCCは、無効化されたCBGを有してもよい(たとえば、TBごとのHARQ-ACKペイロードを使用してもよい)。さらに、CBGが有効化されるとき、異なるCCは、TBごとに異なる数のCBGを使用してもよい。一例として、参照番号605によって示すように、CBGはCC0上で無効化されてもよく、CBGはCC1およびCC2上で有効化されてもよい。
【００７１】
参照番号610によって示すように、UE120は、CCが異なるCBG構成を有するとき、異なるCCのHARQ-ACKペイロードに対して異なるサイズインジケータを決定してもよい。いくつかの態様では、UE120は、図5に関して上記で説明したように、CCのための半静的(たとえば、デフォルト)および/または動的CBG構成に少なくとも部分的に基づいてCCのためのCBG構成を決定してもよく、かつ/あるいは、TTIの特定のセットに対してCCのためのCBG構成を決定してもよい。CCのためのサイズインジケータは、CCのためのCBG構成に依存し得る、CCのためのHARQ-ACKペイロードのサイズを示すことができる。たとえば、無効化されたCBGを有するCCは、1ビットのHARQ-ACKペイロードを有してもよく、TBごとに2個のCBGを使用するCCは、2ビットのHARQ-ACKペイロードを有してもよく、TBごとに8個のCBGを使用するCCは、8ビットのHARQ-ACKペイロードを有してもよく、TBごとに16個のCBGを使用するCCは、16ビットのHARQ-ACKペイロードを有してもよい、などである。
【００７２】
いくつかの態様では、UE120は、対応するCCが異なるCBG構成を有する場合のみ、異なるサイズインジケータに対して異なるサイズインジケータ値を決定してもよい。したがって、第1のCCおよび第2のCCが同じCBG構成を有する(たとえば、両方が無効化されたCBGを有するか、または両方が有効化されたCBGを有し、TBごとのCBGの数が同じである)場合、第1のCCのための第1のサイズインジケータは、第2のCCのための第2のサイズインジケータと同じ値を有してもよい。追加または代替として、UE120は、すべてのCCのためのすべてのHARQ-ACKペイロードのサイズとして、すべてのCCにわたってHARQ-ACKペイロードの最大サイズを使用してもよい。
【００７３】
たとえば、UE120は、CC0などの第1のCCに関連付けられた第1のHARQ-ACKペイロードの第1のサイズを示す第1のサイズインジケータを決定してもよい。いくつかの態様では、UE120は、第1のCCに関連付けられた第1のCBG構成に少なくとも部分的に基づいて、第1のサイズインジケータを決定してもよい。この場合、CBGがCC0に対して無効化されるので、サイズインジケータは、CC0に関連付けられたHARQ-ACKペイロードに対して、1ビットのサイズを示すことができる。
【００７４】
別の例として、UE120は、CC1などの第2のCCに関連付けられた第2のHARQ-ACKペイロードの第2のサイズを示す第2のサイズインジケータを決定してもよい。いくつかの態様では、UE120は、第2のCCに関連付けられた第2のCBG構成に少なくとも部分的に基づいて、第2のサイズインジケータを決定してもよい。この場合、CBGがCC0に対して有効化されるので、サイズインジケータは、CC1上のTBごとに使用されるCBGの数(たとえば、2、8、16など)に応じて、CC1に関連付けられたHARQ-ACKペイロードに対して、たとえば、2ビット、8ビット、16ビットなどのサイズを示すことができる。UE120は、第2のCCと同様の様式で、第3のCCのための第3のサイズインジケータを決定してもよい。3つのCCが一例として示されているが、いくつかの態様では、基地局110とUE120との間の通信のキャリアアグリゲーションのために、異なる数のCCが使用されてもよい。
【００７５】
参照番号615および620によって示すように、UE120は、サイズインジケータグループを形成するためにサイズインジケータを結合してもよく、サイズインジケータグループを基地局110に送信してもよい。同様に、参照番号625および630によって示すように、UE120は、HARQ-ACKペイロードグループを形成するためにHARQ-ACKペイロードを結合してもよく、HARQ-ACKペイロードグループを基地局110に送信してもよい。参照番号615は、参照番号625によって示すようなHARQ-ACKペイロード(PLとして示す)の2つの異なるサイズ(たとえば、2ビットまたは16ビット)を区別することが可能である、1ビットサイズインジケータ(SIとして示す)の一例を示す。参照番号620は、参照番号630によって示すようなHARQ-ACKペイロードの4つの異なるサイズ(たとえば、1ビット、2ビット、8ビット、または16ビット)を区別することが可能である、2ビットサイズインジケータの一例を示す。
【００７６】
いくつかの態様では、UE120は、サイズインジケータグループおよびHARQ-ACKペイロードグループを別々に符号化してもよい。追加または代替として、UE120は、HARQ-ACKペイロードグループの前にサイズインジケータグループを送信してもよい。このようにして、参照番号635によって示すように、基地局110は、サイズインジケータグループの第1の復号ビットに少なくとも部分的に基づいて、HARQ-ACKペイロードグループのビットを解釈することができる。
【００７７】
たとえば、サイズインジケータが1ビットの長さである参照番号615および625を参照すると、(たとえば、CC0に対応する)サイズインジケータグループの第1のビットが0の値を有する場合、基地局110は、CC0に対応する第1のHARQ-ACKペイロードが2ビットの長さであると決定してもよい。同様に、(たとえば、CC1に対応する)サイズインジケータグループの第2のビットが1の値を有する場合、基地局110は、CC1に対応する第2のHARQ-ACKペイロードが16ビットの長さであると決定してもよい。基地局は、サイズインジケータグループに含まれるサイズインジケータを使用して、異なるCCに対応するHARQ-ACKペイロードのサイズに関して同様の決定を行ってもよい。このようにして、基地局110は、HARQ-ACKフィードバックを適切に解釈し、エラーを低減することができる。
【００７８】
上記で示したように、図6は一例として与えられる。他の例が可能であり、図6に関して説明したことと異なってもよい。
【００７９】
図7は、本開示の様々な態様による、たとえばUEによって実行される例示的なプロセス700を示す図である。例示的なプロセス700は、UE(たとえば、UE120など)がニューラジオにおけるキャリアアグリゲーションのためのHARQ-ACKフィードバックに関する動作を実行する一例である。
【００８０】
図7に示すように、いくつかの態様では、プロセス700は、第1のDAIに少なくとも部分的に基づいて、第1のCCセットのための第1のHARQ-ACKペイロードを決定すること(ブロック710)を含んでもよい。たとえば、(たとえば、コントローラ/プロセッサ280などを使用する)UEは、図5に関して上記で説明したように、第1のDAIに少なくとも部分的に基づいて、第1のCCセットのための第1のHARQ-ACKペイロードを決定してもよい。
【００８１】
図7にさらに示すように、いくつかの態様では、プロセス700は、第2のDAIに少なくとも部分的に基づいて、第2のCCセットのための第2のHARQ-ACKペイロードを決定すること(ブロック720)を含んでもよい。たとえば、(たとえば、コントローラ/プロセッサ280などを使用する)UEは、図5に関して上記で説明したように、第2のDAIに少なくとも部分的に基づいて、第2のCCセットのための第2のHARQ-ACKペイロードを決定してもよい。いくつかの態様では、第2のDAIは第1のDAIとは異なることがある。
【００８２】
図7にさらに示すように、いくつかの態様では、プロセス700は、第1のCCセットのための第1のHARQ-ACKペイロードおよび第2のCCセットのための第2のHARQ-ACKペイロードを送信すること(ブロック730)を含んでもよい。たとえば、(たとえば、コントローラ/プロセッサ280、送信プロセッサ264、TX MIMOプロセッサ266、MOD254、アンテナ252などを使用する)UEは、図5に関して上記で説明したように、第1のCCセットのための第1のHARQ-ACKペイロードおよび第2のCCセットのための第2のHARQ-ACKペイロードを送信してもよい。
【００８３】
プロセス700は、以下でおよび/または本明細書で説明する1つもしくは複数のプロセスに関して説明する、任意の単一の態様または態様の任意の組合せなどの、追加の態様を含み得る。
【００８４】
いくつかの態様では、第1のCCセットに含まれる1つまたは複数の第1のCCは、第1のコードブロックグループ(CBG)構成に関連付けられ、第2のCCセットに含まれる1つまたは複数の第2のCCは、第1のCBG構成とは異なる第2のCBG構成に関連付けられる。いくつかの態様では、第1のCBG構成は、CBGが有効化される構成であり、第2のCBG構成は、CBGが無効化される構成である。
【００８５】
いくつかの態様では、少なくとも1つのCCは、少なくとも1つのCCのための半静的CBG構成に少なくとも部分的に基づいて、第1のCCセットまたは第2のCCセットに割り当てられる。いくつかの態様では、少なくとも1つのCCは、ダウンリンク制御情報において示される、少なくとも1つのCCのための動的CBG構成に少なくとも部分的に基づいて、第1のCCセットまたは第2のCCセットに割り当てられる。いくつかの態様では、ダウンリンク制御情報は、デフォルトまたは半静的コードブロックグループ構成をオーバーライドするフォールバックダウンリンク制御情報である。いくつかの態様では、特定の送信時間間隔の間に、1つまたは複数の第1のCCが第1のCCセットに割り当てられ、1つまたは複数の第2のCCが第2のCCセットに割り当てられる。いくつかの態様では、CBGがUEの少なくとも1つのCCに対して有効化されるとの決定に少なくとも部分的に基づいて、1つまたは複数の第1のCCが第1のCCセットに割り当てられ、1つまたは複数の第2のCCが第2のCCセットに割り当てられる。
【００８６】
いくつかの態様では、第1のDAIは第1の累積DAIであり、第2のDAIは第2の累積DAIである。いくつかの態様では、第1のDAIは第1の総DAIであり、第2のDAIは第2の総DAIである。
【００８７】
いくつかの態様では、第1のCCセットのための第1のHARQ-ACKペイロードは、第1のHARQ-ACKペイロードグループにおいて連結され、第2のCCセットのための第2のHARQ-ACKペイロードは、第2のHARQ-ACKペイロードグループにおいて連結される。いくつかの態様では、第1のHARQ-ACKペイロードグループおよび第2のHARQ-ACKペイロードグループは、送信のために互いと連結される。いくつかの態様では、第1のHARQ-ACKペイロードグループまたは第2のHARQ-ACKペイロードグループのうちの少なくとも1つは、互いとの連結の前にDAIパディングでパディングされる。
【００８８】
図7は、プロセス700の例示的なブロックを示すが、いくつかの態様では、プロセス700は、図7に示すものと比べて、追加のブロック、より少ないブロック、異なるブロック、または異なるように配置されたブロックを含んでもよい。追加または代替として、プロセス700のブロックのうちの2つ以上が並行して実行されてもよい。
【００８９】
図8は、本開示の様々な態様による、たとえばUEによって実行される別の例示的なプロセス800を示す図である。例示的なプロセス800は、UE(たとえば、UE120など)がニューラジオにおけるキャリアアグリゲーションのためのHARQ-ACKフィードバックに関する動作を実行する一例である。
【００９０】
図8に示すように、いくつかの態様では、プロセス800は、第1のCCに関連付けられた第1のHARQ-ACKペイロードの第1のサイズを示す第1のサイズインジケータを決定することであって、第1のサイズが、第1のCCのための第1のCBG構成に少なくとも部分的に基づいて決定される、こと(ブロック810)を含んでもよい。たとえば、(たとえば、コントローラ/プロセッサ280などを使用する)UEは、図6に関して上記で説明したように、第1のCCに関連付けられた第1のHARQ-ACKペイロードの第1のサイズを示す第1のサイズインジケータを決定してもよい。いくつかの態様では、第1のサイズは、第1のCCのための第1のCBG構成に少なくとも部分的に基づいて決定される。
【００９１】
図8にさらに示すように、いくつかの態様では、プロセス800は、第2のCCに関連付けられた第2のHARQ-ACKペイロードの第2のサイズを示す第2のサイズインジケータを決定することであって、第2のサイズが、第2のCCのための第2のCBG構成に少なくとも部分的に基づいて決定される、こと(ブロック820)を含んでもよい。たとえば、(たとえば、コントローラ/プロセッサ280などを使用する)UEは、図6に関して上記で説明したように、第2のCCに関連付けられた第2のHARQ-ACKペイロードの第2のサイズを示す第2のサイズインジケータを決定してもよい。いくつかの態様では、第2のサイズは、第2のCCのための第2のCBG構成に少なくとも部分的に基づいて決定される。
【００９２】
図8にさらに示すように、いくつかの態様では、プロセス800は、サイズインジケータグループにおいて第1のサイズインジケータおよび第2のサイズインジケータを送信すること(ブロック830)を含んでもよい。たとえば、(たとえば、コントローラ/プロセッサ280、送信プロセッサ264、TX MIMOプロセッサ266、MOD254、アンテナ252などを使用する)UEは、図6に関して上記で説明したように、サイズインジケータグループにおいて第1のサイズインジケータおよび第2のサイズインジケータを送信してもよい。
【００９３】
図8にさらに示すように、いくつかの態様では、プロセス800は、HARQ-ACKペイロードグループにおいて第1のHARQ-ACKペイロードおよび第2のHARQ-ACKペイロードを送信すること(ブロック840)を含んでもよい。たとえば、(たとえば、コントローラ/プロセッサ280、送信プロセッサ264、TX MIMOプロセッサ266、MOD254、アンテナ252などを使用する)UEは、図6に関して上記で説明したように、HARQ-ACKペイロードグループにおいて第1のHARQ-ACKペイロードおよび第2のHARQ-ACKペイロードを送信してもよい。
【００９４】
プロセス800は、以下でおよび/または本明細書で説明する1つもしくは複数のプロセスに関して説明する、任意の単一の態様または態様の任意の組合せなどの、追加の態様を含み得る。
【００９５】
いくつかの態様では、サイズインジケータグループは、HARQ-ACKペイロードグループとは別々に符号化される。いくつかの態様では、サイズインジケータグループは、HARQ-ACKペイロードグループの前に送信される。いくつかの態様では、HARQ-ACKペイロードグループの復号されたビットは、サイズインジケータグループの復号されたビットに少なくとも部分的に基づいて解釈される。
【００９６】
図8は、プロセス800の例示的なブロックを示すが、いくつかの態様では、プロセス800は、図8に示すものと比べて、追加のブロック、より少ないブロック、異なるブロック、または異なるように配置されたブロックを含んでもよい。追加または代替として、プロセス800のブロックのうちの2つ以上が並行して実行されてもよい。
【００９７】
上記の開示は例示および説明を提供するものであり、網羅的なものでも、態様を開示された厳密な形態に限定するものでもない。変更形態および変形形態は、上記の開示を踏まえて可能であるか、または態様の実践から獲得され得る。
【００９８】
本明細書で使用する構成要素という用語は、ハードウェア、ファームウェア、またはハードウェアとソフトウェアの組合せとして広く解釈されるものとする。本明細書で使用するプロセッサは、ハードウェア、ファームウェア、またはハードウェアとソフトウェアの組合せにおいて実装される。
【００９９】
いくつかの態様について、しきい値に関して本明細書で説明する。本明細書で使用する「しきい値を満たすこと」は、値がしきい値よりも大きいこと、しきい値以上であること、しきい値未満であること、しきい値以下であること、しきい値に等しいこと、しきい値に等しくないことなどを指すことがある。
【０１００】
本明細書で説明するシステムおよび/または方法は、異なる形態のハードウェア、ファームウェア、またはハードウェアとソフトウェアの組合せにおいて実装され得ることは明らかであろう。これらのシステムおよび/または方法を実装するために使用される実際の専用の制御ハードウェアまたはソフトウェアコードは、態様を限定するものではない。したがって、システムおよび/または方法の動作および挙動について、特定のソフトウェアコードの参照なしに本明細書で説明した。ソフトウェアおよびハードウェアは、本明細書での説明に少なくとも部分的に基づいてシステムおよび/または方法を実装するように設計され得ることを理解されたい。
【０１０１】
特徴の特定の組合せが特許請求の範囲において列挙され、かつ/または本明細書で開示されても、これらの組合せは、可能な態様の開示を限定するものではない。実際には、これらの特徴の多くが、特許請求の範囲において具体的に列挙されない方法で、および/または本明細書で開示されない方法で組み合わされてもよい。以下に記載する各従属クレームは、1つのみのクレームに直接依存し得るが、可能な態様の開示は、クレームセットの中のあらゆる他のクレームと組み合わせた各従属クレームを含む。項目のリスト「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。
【０１０２】
本明細書で使用する要素、行為、または命令はいずれも、そのようなものとして明示的に説明されない限り、重要または不可欠であるものと解釈されるべきではない。また、本明細書で使用する冠詞「a」および「an」は、1つまたは複数の項目を含むものとし、「1つまたは複数の」と互換的に使用されてもよい。さらに、本明細書で使用する「セット」および「グループ」という用語は、1つまたは複数の項目(たとえば、関連する項目、関連しない項目、関連する項目と関連しない項目の組合せなど)を含むものとし、「1つまたは複数の」と互換的に使用されてもよい。1つのみの項目が意図される場合、「1つの」という用語または同様の言葉が使用される。また、本明細書で使用する「有する(has)」、「有する(have)」、「有する(having)」などの用語は、オープンエンド用語であるものとする。さらに、「に基づいて」という句は、別段に明記されていない限り、「に少なくとも部分的に基づいて」を意味するものとする。
【符号の説明】
【０１０３】
100  ネットワーク、ワイヤレスネットワーク、アクセスネットワーク
102a  マクロセル
102b  ピコセル
102c  フェムトセル
110  BS、基地局
110a  BS、マクロBS
110b  BS
110c  BS
110d  BS、中継局
120、120a、120c、120d、120e  UE
130  ネットワークコントローラ
212  データソース
220  送信プロセッサ
230  送信(TX)多入力多出力(MIMO)プロセッサ、TX MIMOプロセッサ
232  変調器、復調器、DEMOD、MOD
232a〜232t  変調器(MOD)、変調器
234、234a〜234t  アンテナ
236  MIMO検出器
238  受信プロセッサ
239  データシンク
240  コントローラ/プロセッサ
242  メモリ
244  通信ユニット
246  スケジューラ
252、252a〜252r  アンテナ
254  復調器、DEMOD、MOD
254a〜254r  復調器(DEMOD)、復調器、変調器
256  MIMO検出器
258  受信プロセッサ
260  データシンク
262  データソース
264  送信プロセッサ
266  TX MIMOプロセッサ
280  コントローラ/プロセッサ
282  メモリ
290  コントローラ/プロセッサ
292  メモリ
294  通信ユニット
700  プロセス
800  プロセス
【図１】
2021503758.tif 000003
【図２】
2021503758.tif 000004
【図３】
2021503758.tif 000005
【図４】
2021503758.tif 000006
【図５】
2021503758.tif 000007
【図６】
2021503758.tif 000008
【図７】
2021503758.tif 000009
【図８】
2021503758.tif 000010
【国際調査報告】
2021503758.tif 000011
2021503758.tif 000012
2021503758.tif 000013